(57)【要約】【課題】針管の先端部位にワイヤーを固着し、ワイヤーを引くことにより、針管を可変湾曲する注射針において、意図した方向、角度への可変、及び、維持が安定して確実に可能で、針管先端の所望部位のみを可変させることのできる可変式注射針を提供すること。【解決手段】前記ワイヤー３により針管１を可変湾曲する注射針において、針管の基部に設ける針基部に、前記ワイヤー３の他端部を固着するリング６を遊設した可動コマ５を設け、該可動コマ５は針管基４にネジ部４１により取り付けられ、ネジに沿って回動操作することにより、針管１の軸方向に可動可能で、かつ、任意の位置で固定可能とする構成とした。また、針管１は、先端側の所望の長さを基側よりも細径に形成して構成した。【選択図】  図１
2006314570.tif 000002
【特許請求の範囲】
【請求項１】
針管の先端部位にワイヤー端部を固着し、該針管及びワイヤーを被覆した外筒を備え、該ワイヤーを針管基側に引くことにより可変湾曲する注射針において、該針管の基部に設ける針基部に、前記ワイヤーの他端部を固着して針管の軸方向に可動し、任意の位置で固定可能な可動コマを設けたことを特徴とする可変式注射針。  
【請求項２】
前記、針管の基部に設ける針基部は、針管を接続する針基と、該針基に取り付けられる可動コマより構成し、該針基及び可動コマには係合するネジ部を形成し、該ネジ部の相対的な回動操作により、可動コマが針管の軸方向に可動する請求項１の可変式注射針。
【請求項３】
前記可動コマには、前記ワイヤー端部の固着部となるリングを遊設し、該リングは、可動コマ本体の回動運動と連動せず、軸方向への可動のみ連動する請求項２の可変式注射針。
【請求項４】
前記針管は、先端側の所望の長さが基側よりも細径に形成された請求項１乃至３の可変式注射針。
【請求項５】
前記針管の基側の太径部は、二重管として形成した請求項４の可変式注射針。
【発明の詳細な説明】
【技術分野】
【０００１】
本発明は、医療用注射針に関し、詳しくは、神経ブロックなどのさい、針管先端を目標部位に到達させるために、先端部を湾曲形状に可変可能とした可変式注射針に関する。
【背景技術】
【０００２】
交感神経ブロックや腹腔神経ブロック等、人体深部へ神経ブロックをおこなうさいは、麻酔薬等の薬液注入路を確保するため、通常、２１G（ゲージ  外径０．８１ｍｍ）、１２０ｍｍから１４０ｍｍ程度の長針を、ＣＴ画像を指標として、目標部位まで直線的に穿刺することになるが、一旦、組織に針を穿刺してしまうと、途中で針先の向きを変えることは難しく、針の刺入点と目標部位の間に障害物がある場合などでは、これを迂回しての穿刺は困難なため、良好な穿刺ができるまで穿刺をやり直すことになってしまう場合がある。例えば、腹腔神経叢ブロックでは、第一腰椎の前面を目標として針を穿刺していく必要があるが、穿刺位置を内側に取りすぎると腰椎前面に針先が進まず、腰椎側縁にはじかれ針先が外側を向いてしまい、反対に外側に取りすぎると腹部臓器を損傷する危険が高まることから臨床上困難を伴う手技となっている。また、細く長い針を使用することで、穿刺中に針管に曲がりが生じて、想定した穿刺ルートを逸れ、目標部位から外れることも多々ある。          
そこで、上記問題を解決するため、本発明の発明者により可変湾曲式注射針が提案されている。この注射針は、針管の先端付近に、ひも、または針金を取り付けた針と、該針を被覆する中空の筒より形成し、針の根元部分を固定した状態で、根元側にひもや針金を引くことによって、針あるいは筒を湾曲させることができるように構成されているもので、この注射針により、組織への穿刺後でも、手元操作により自在に針先端を湾曲することができ、例えば、穿刺経路に障害物があった場合でも目的部に針先を到達させることができるものとなっている。（特許文献１参照）
【０００３】
【特許文献１】特開２００４−１８８１３４号公報
【発明の開示】
【発明が解決しようとする課題】
【０００４】
前記の可変湾曲式注射針によると、注射針を組織に穿刺した状態で針先を湾曲することができるため、針を可変湾曲させて刺し進めることで、前述したような多少の障害があっても目標部位にアプローチすることが可能となるが、針管を曲げた状態に保持しておくための固定手段などに付いては言及されておらず、該保持手段を設けない場合は、針管の直線状態に戻ろうとする弾性復元力により穿刺ルートの組織に無理な力が掛かり該組織に悪影響を与える懸念がある。また、曲がりの方向や角度の細かな設定、およびその維持が困難となるため、針管先端の穿刺方向の正確性に問題があり、曲がり角度の安定性に問題がある。
更に、ひも等を引くことにより針管全体が湾曲状態となることで、穿刺ルートに当たる組織に無理な力が掛かる懸念もある。
【０００５】
そこで、本発明は、針管の先端部位にワイヤー端部を固着し、外筒で被覆して構成し、該ワイヤーを引くことにより、針管を可変湾曲する注射針において、意図した方向、角度への可変及び維持が安定して確実に可能で、針管先端の所望部位のみを可変させることのできる可変式注射針を提供することを課題とした。
【課題を解決するための手段】
【０００６】
本発明の可変式注射針は、針管の先端部位にワイヤー端部を固着し、該針管及びワイヤーを被覆する外筒を備えてなり、該ワイヤーを針管基側に引くことにより可変湾曲する注射針において、該針管の基部に設ける針基部に、前記ワイヤーの他端部を固着する、針管の軸方向に可動し、任意の位置で固定可能な可動コマを設けて構成する。  
【０００７】
前記、針管の基部に設ける針基部の具体的なものとして、該針基部を、針管を接続する針基と、該針基に取り付けられる可動コマより構成し、該針基及び可動コマには互いに係合するネジ部を形成し、該ネジ部を相対的に回動することにより、可動コマが針管の軸方向に可動する構成とする。また、前記可動コマには、前記ワイヤー端部の固着部となるリングを遊設して、該リングが、可動コマ本体の回動運動と連動せず、軸方向への往復可動のみ連動する構成とすることが好ましい。尚、遊設とは、可動コマ本体とリングが固定されておらず、リングが可動コマの回動からフリーな状態で遊動可能に取り付けられた状態と定義する。
【０００８】
また、前記針管は、先端側の所望の長さが基側よりも細径に形成して構成し、具体的には、基側の太径部を二重管として形成する。
【発明の効果】
【０００９】
本発明の可変式注射針によると、従来の可変湾曲注射針が解決した、針管を組織に穿刺した状態で、ワイヤーを基側に引く手元操作により針先を湾曲し、穿刺経路を曲げて刺し進めることで、該穿刺経路に障害物があり直線的な穿刺が困難であったり、穿刺過程で針管に意図しない曲がりが生じ穿刺方向が変わったりするような多少の障害があっても、目標部位にアプローチすることを可能とした効果に加え、前記ワイヤーを固着した可動コマが針管の軸方向に可動すると共に、任意の位置で固定可能とすることで、意図する針管の曲がり状態を、任意の所望角度に確実に保持しておくことができる。また、該可動コマと針基に係合するネジ部を設け、相対的に回動させることで、可動コマがネジに沿った上下動により針管の軸方向に可動する構造としたことで、該回動と連動して針管が可変し、回動の程度により該針管を意図する任意の湾曲角度に調整し、また、その位置で保持しておくことができる。更に、可動コマに、ワイヤー端部の固着部となるリングを固定せずに遊設し、該リングを、可動コマ本体の回動運動とは連動せず、軸方向への往復可動のみ連動する構造とすると、リングのワイヤー固着部は回動しないため、針管先端部とリングのワイヤー固接部は常に一直線上に保持され、ワイヤーに捩れが生じないことにより、針管の湾曲方向を安定し、ワイヤーや針管に無理な負荷を掛けることがない。また、同時に、手元で体内にある針管の湾曲方向を把握することができる。
以上のような作用効果により、針管の針先の可動を、手元操作に追従させた意図したもの（湾曲方向、角度）とできることで、細かな穿刺経路の調整が可能で、かつ、その位置での保持が確実で、かつ容易であることから、神経ブロックなどの手技を安全確実で、容易なものとすることができる。
【００１０】
また、針管先端側の所望の長さを基部側より細径に構成すると、ワイヤーを引いて針管先端を湾曲するさい、曲がりに対する強度の弱い先端の細径部が湾曲しやすいため、該湾曲が先端部に集中し針管全体に及び難い。更に、基側の太径部を２重管として形成すると、該２重管部分は強固となり更に湾曲しにくいため、前記の先端部分のみを湾曲させる効果を一層高めることができる。
以上の作用により、曲がって欲しい先端部位のみを可変湾曲することができることにより、針管全体が湾曲することで懸念される穿刺経路の組織への悪影響を排除可能な、人体組織に無理のない安全な器具とすることができる。
【発明を実施するための最良の形態】
【００１１】
以下、本発明の実施の形態の一例につき図面を参考に詳細に説明する。
図１は、本発明の実施の形態の可変注射針を示す全体構成の概要図で、図２は、その針管の一部拡大図、図３は、その針基部の拡大図を示している。
本実施の形態の可変式注射針は、内パイプ１１及び外パイプ１２より構成する針管１と、該針管の先端部に一方端部を、また他端部を後記するリング６に固接したワイヤー３と、該ワイヤー３及び針管1を被覆する外筒２と、前記針管１及び外筒２の基部を各々接続する針管基４及び外筒基７と、前記内パイプ１１の内腔に挿入される内針（図示しない）及び該内針の基部を接続する内針基８より基本構成される注射針に、前記針管基４に取り付けられ、針管軸方向に可動する可動コマ５と、該可動コマ５に遊設される、前記ワイヤー３の一方端部を接続したリング６を設けて構成し、前記可動コマ５を回動することにより、該可動コマ５と連動して可動するリング６に固接されたワイヤー３により、該ワイヤー３が固接された針管１が基側に引っ張られあるいは戻され、針管が湾曲可動する構成となっている。
【００１２】
各部の構成を詳細に説明すると、針管１は、ステンレスパイプなどの金属パイプよりなる内パイプ１１及び外パイプ１２で構成し、本例においては、外パイプ１２の先端から内パイプ１１を５０ｍｍ突出させて、先端側は内パイプのみの１重管、基側は内外パイプによる２重管構造として構成し、細径で曲げ強度の小さな先端部側５０ｍｍのみが湾曲可変するような構造としている。また、内パイプ１１の先端部は組織に穿刺するため刃先１１１が設けられ、必要に応じて、穿刺深度の指標とするための目盛１３（本例においては１０ｍｍ間隔）を針管全長に亘り付して構成している。
外筒２は、透明で比較的硬質なフッ素系樹脂などの樹脂チューブにより形成し、前記針管１とワイヤー３を内腔内に一体化しておくために、前記内パイプ１１の刃先１１１のみを突出させ針管１全長を被覆して設ける。また、組織への穿刺を考慮し、先端部は内パイプ１１との隙間が生じないように伸ばし加工によりテーパー形状に形成されている。
ワイヤー３は、本例においては細径で強固な金属の撚り線を用い、一方端部を前記内パイプ１１の先端より１０ｍｍ以内で刃面１１１の裏側となるワイヤー固接部３１に半田により溶着して固接し、他方端部は、後記する針基部のリング６のワイヤー固接部３２に対応して設けられた小孔（図示しない）に貫通させ、端部を結び、更に該結び部分を接着して固接される。ワイヤー３が、針管先端のワイヤー固接部３１と基部のリング６のワイヤー固接部３２に固接されていることにより、ワイヤー６が針管軸方向に可動することで、針管１を湾曲可動することができる。
【００１３】
針管基４は、先端側に針管１を接着により接続し、後端側は薬液注入などに注射筒などを接続可能なるメスルアーテーパーを備えた樹脂による成形あるいは切削品で、本例においては先端側４（ａ）の針管接着部と後端側４（ｂ）のルアーテーパー部の中間部に後記する可動コマ５と係合するネジ部４１を設け、該ネジ部４１の範囲で係合コマ５を可動可能な構成とした。また、針管基先端側４（ａ）には、前記ワイヤー３の通路として、該ワイヤー３が針管先端の固接部３１から一直線上となる位置に貫通孔（図示せず）を設け、更に切り欠け部４２を設けて、ワイヤーを通し、該ワイヤー３が極力直線状の経路を通れるように構成している。
可動コマ５は、前記針管基４のネジ部４１に取り付けられる、内腔に該ネジ部４１と係合するネジ加工（図示せず）を施された筒状部材で、樹脂により成形あるいは切削により形成され、また、外周面には、後記するリング６を遊設するための溝５１が設けられている。そして、前記したように、前記ネジ部４１の範囲で、ネジに沿って回動することにより前後に可動する構成としている。
リング６は、前述した要領でワイヤー３の一端を固接しており、前記可動コマ５の溝５１に嵌めこまれ遊設されるため、該溝５１部の外径よりも大きく、かつ可動コマ５の外径よりも小さな内径を有するリング状の金属により構成される。そして、この溝内５１に遊設された構造により、前記可動コマ５の回動運動には追従せず、針管１の軸方向への前後の往復可動のみ連動する構造となっており、また、ワイヤー３の固接部となる針先の固接部３１とリング６の固接部３２は常に一直線となる位置にすることができる。
外筒基７は、前記外筒２の基端部を接続するもので、該基端部をフレアー状に開いて該開き部を外筒基本体７１およびキャップ７２で挟持して固定している。また、前記ワイヤー３の通路として、該ワイヤー３が針管先端の固接部３１から一直線上となる位置にワイヤー取り出し孔７１１を設け、外筒基７内部からワイヤー３を外部に取り出している。
内針基８は、組織への穿刺のさいに針管１内腔に組織が入り込まないように設ける図示しない内針の基端部と接続され、先端側は前記針管基４の後端部のルアーテーパーと係合するオスルアーテーパーを形成している。
ここで、ワイヤー３の通路を確認すると、針管１先端部のワイヤー固接部３１から針管と平行して外筒２内部を通り、外筒基７のワイヤー取り出し孔７１１から外部に出され、針管基４の貫通孔（図示しない）内を通し、切り欠け部４２で再び外部に出され、リング６の小孔（図示せず）を通し裏側に出され該リング６のワイヤー固接部３２に到達する。そして該ワイヤー３は前述したとおり、常に一直線状に位置している。
【００１４】
図３は、本実施の形態の直線状態及び湾曲状態を示しており、本図を参考に、本可変式注射針の可変手段を再度説明する。
針管１が直線状にあるとき、可動コマ５は針管基４のネジ部４１の最前部に接触しており（図Ａ）、この状態から可動コマ５を前記ネジ部４１に係合して反時計回り（矢印方向）に回動すると、該可動コマ５は針管１の軸方向後方に可動するが、可動コマ５に遊設され、またワイヤー３を固接したリング６も連動して軸方向後方に可動することで、ワイヤー３が針基部側に引っ張られ、針管１の湾曲しやすい先端から５０ｍｍの部分より先端側が湾曲可変する。そして、所望の角度が得られるまで回動、その位置で回動を止めればそこで湾曲形状が維持された状態となる。
【図面の簡単な説明】
【００１５】
【図１】本発明の実施の形態の可変式注射針を示す全体構成概要図
【図２】前記実施の形態の針管部を示す拡大模式図
【図３】前記実施の形態の針基部を示す拡大図
【図４】前記実施の形態の直線状態及び湾曲状態を示す模式図
【符号の説明】
【００１６】
１．    針管
１１．  内パイプ
１１２．湾曲部
１２．  外パイプ
２．    外筒
３．    ワイヤー
３１．  ワイヤー固接部（針管側）
３２．  ワイヤー固接部（リング側） 
４．    針管基
４１．  ネジ部
５．    可動コマ
５１．  溝
６．    リング
７．    外筒基
８．    内針基
【図１】
2006314570.tif 000003
【図２】
2006314570.tif 000004
【図３】
2006314570.tif 000005
【図４】
2006314570.tif 000006